(57)【特許請求の範囲】
【請求項１】
加入者回路と接続している加入者線と、
複数の前記加入者回路を搭載している加入者回路収容装置と、
前記加入者回路収容装置と接続している加入者試験線と、
複数の前記加入者試験線と加入者線試験装置との間に設置された加入者試験装置インタフェース回路と、
システムの制御を行う制御機能部と、から構成される加入者試験システムであって、
前記加入者試験装置インタフェース回路は、
前記加入者試験線と前記加入者線試験装置とを接続させる加入者試験線接続スイッチ部と、
前記加入者試験線を短絡させる加入者試験線ループ機能部とを備え、
前記加入者回路収容装置は、
前記加入者回路の状態を監視する加入者回路監視手段を備え、
前記加入者試験線接続スイッチ部に接続された複数の前記加入者試験線を、前記加入者試験線ループ機能部に接続する様に構成し、前記加入者試験線を短絡したとき前記加入者回路監視手段により前記加入者回路の状態を監視して、当該監視した状態から前記加入回路の故障を判断するように構成して成ることを特徴とする加入者試験システム。
【請求項２】
システムの制御を行う前記制御機能部は複数の前記加入者試験線の中から短絡させるべき特定の加入者試験線を指定するために、加入者試験線ループ指定信号を前記加入者試験装置インタフェース回路に送信することを特徴とする請求項１記載の加入者試験システム。
【請求項３】
前記加入者試験線ループ機能部は、前記加入者試験線ループ指定信号に基いて、指定された前記加入者試験線のループを行うことを特徴とする請求項１又は請求項２に記載の加入者試験装置システム。
【請求項４】
前記加入者試験装置インタフェース回路内部で前記加入者試験線ループ機能部は、前記加入者試験線接続スイッチ部に接続し、前記加入者試験線接続スイッチ部を介して前記加入者試験線と接続するように構成して成ることを特徴とする請求項１又は請求項２又は請求項３に記載の加入者試験システム。
【請求項５】
加入者回路と接続している加入者線と、
複数の前記加入者回路を搭載している加入者回路収容装置と、
前記加入者回路収容装置と接続している加入者試験線と、
複数の前記加入者試験線と加入者線試験装置との間に設置された加入者試験装置インタフェース回路と、
システムの制御を行う制御機能部と、から構成される加入者試験システムによる加入者回路特定方法であって、
前記加入者試験装置インタフェース回路は、
前記加入者試験線と前記加入者線試験装置とを接続させる加入者試験線接続スイッチ部と、
前記加入者試験線を短絡させる加入者試験線ループ機能部とを備え、
前記加入者回路収容装置は、
前記加入者回路の状態を監視する加入者回路監視手段を備え、
前記加入者線の線間電圧が低い場合に前記加入者試験線の短絡を実行し、前記加入者回路収容装置に搭載されている複数の前記加入者回路の監視を前記加入者回路監視手段によって行い、当該加入者回路監視手段によって複数の前記加入者回路の中で起動状態が停止した加入者回路が発見されると、当該加入者回路を故障加入者回路と判断することを特徴とする加入者回路特定方法。
【請求項６】
前記加入者線の線間電圧が高い場合に前記加入者試験の短絡を実行し、前記加入者回路収容装置に搭載されている複数の前記加入者回路の監視を前記加入者回路監視手段によって行い、当該加入者回路監視手段によって複数の前記加入者回路の中に直流ループ電流がＯＮ状態である加入者回路の検索を行い、直流ループ電流がＯＮ状態である加入者回路が存在する場合には、当該加入者回路を直流ループ電流がＯＮ状態である加入者回路としてメモリに保存し、次に前記加入者試験線の開放を行い、保存された直流ループ電流がＯＮ状態である前記加入者回路の中から直流ループ電流がＯＦＦ状態となった加入者回路が発見されると、当該加入者回路を故障加入者回路と判断することを特徴とする請求項５に記載の加入者回路特定方法。
【発明の詳細な説明】
【０００１】
【発明の属する技術分野】
本発明は、加入者試験装置インタフェース回路にループ制御機能を備えて、故障した加入者回路の特定を行う加入者試験システム及び加入者回路特定方法に関する。
【０００２】
【従来の技術】
従来の技術に関して図２と図３と図４及び図５を参照して説明を行う。
図２は加入者回路収容装置の構成図である。
図３は加入者回路内の加入者線と加入者試験線との加入者回路正常起動時における接続状態を示す構成図である。
図４は加入者回路内の加入者線と加入者試験線との加入者試験実行時における接続状態を示す構成図である。
図５は加入者回路内の加入者線と加入者試験線との故障発生時における接続状態を示す構成図である。
従来、ＩＳＤＮ網側からの加入者試験では、図４に示すように加入者試験実行時に加入者回路の内部で、加入者試験線と加入者線とを接続し、これにより加入者線と加入者試験装置とを接続させるというものである。
加入者線と加入者試験装置とが接続されることで加入者試験装置によって、加入者試験が行われる。
【０００３】
しかし、図５に示すように加入者回路の不良により加入者試験実行時でないにもかかわらず、加入者試験線と加入者線が接続した状態となる故障が発生する場合がある。故障が発生した際には、図２に示すように加入者試験線は加入者回路収容装置内の全加入者回路と接続されているため、加入者線側から故障している加入者回路の供給電力が加入者試験線側に回り込んだ状態となる。これにより、その故障している加入者回路が搭載されている加入者回路収容装置の加入者試験が行えなくなるという問題点があった。
【０００４】
前述したような故障が発生した場合には、故障した加入者回路を交換する必要がある。
しかし、加入者試験線は加入者回路収容装置内に搭載されている全ての加入者回路に接続されているため、被疑（故障）の加入者回路を検出できないという問題点がある。
その対応手段として、加入者試験線をループさせるという手段が用いられている。
加入者試験実行時でないにもかかわらず加入者線と接続された状態になっている加入者回路の起動状態の監視を行うことで故障加入者回路を検出するというものである。
【０００５】
【発明が解決しようとする課題】
前述した従来技術において、実際に加入者試験線のループを行うためには被疑の加入者回路が搭載してある加入者回路収容装置から加入者試験線の接続ケーブルを外し、治具などで端子をショートさせる様な手動で行う方法がとられている。
【０００６】
従って、従来の加入者試験装置インタフェース回路では、加入者試験線をループさせる機能を備えていない。そのため、故障発生時に故障回復手段として行われる加入者試験線のループを自動的に行うことが出来ず、手動で行わなければならないという問題点があった。
【０００７】
本発明は、以上の従来技術における問題に鑑みてなされたものであり、
加入者試験装置インタフェース回路にループ機能を備えることで、加入者回路における故障の特定を自動化することが可能な加入者試験システム及び加入者回路特定方法を提供する。
【０００８】
【課題を解決するための手段】
前記課題を解決するために提供する請求項１記載の発明は、加入者回路と接続している加入者線と、複数の前記加入者回路を搭載している加入者回路収容装置と、前記加入者回路収容装置と接続している加入者試験線と、複数の前記加入者試験線と加入者線試験装置との間に設置された加入者試験装置インタフェース回路と、システムの制御を行う制御機能部と、から構成される加入者試験システムであって、前記加入者試験装置インタフェース回路は、前記加入者試験線と前記加入者線試験装置とを接続させる加入者試験線接続スイッチ部と、前記加入者試験線を短絡させる加入者試験線ループ機能部とを備え、前記加入者回路収容装置は、前記加入者回路の状態を監視する加入者回路監視手段を備え、前記加入者試験線接続スイッチ部に接続された複数の前記加入者試験線を、前記加入者試験線ループ機能部に接続する様に構成し、前記加入者試験線を短絡したとき前記加入者回路監視手段により前記加入者回路の状態を監視して、当該監視した状態から前記加入回路の故障を判断するように構成して成ることを特徴とする。
【０００９】
加入者試験システムにおいて、加入者試験装置インタフェース回路内部に加入者試験線ループ機能部を設けるた。
従って、加入者回路に故障が生じた場合に自動的に加入者試験線ループを行う手順を自動に行えるようになり、故障した加入者回路の特定を自動的に行うことが可能となる
【００１０】
前記課題を解決するために提供する請求項２記載の発明は、システムの制御を行う前記制御機能部は複数の前記加入者試験線の中から短絡させるべき特定の加入者試験線を指定するために、加入者試験線ループ指定信号を前記加入者試験装置インタフェース回路に送信することを特徴とする。
【００１１】
制御機能部によって複数の加入者試験線の中からループを行う加入者試験線の特定を行っている。
従って、複数の加入者試験線のループを行うのではなく、故障している加入者回路が搭載されている加入者回路収容装置と接続している加入者試験線のみのループを行うことが可能となる。
【００１２】
前記課題を解決するために提供する請求項３記載の発明は、前記加入者試験線ループ機能部は、前記加入者試験線ループ指定信号に基いて、指定された前記加入者試験線のループを行うことを特徴とする。
【００１３】
加入者試験線ループ機能部は制御機能部の制御によってループを行う。
つまり、制御機能部によって指定された加入者試験線のループを行う。
【００１４】
前記課題を解決するために提供する請求項４記載の発明は、前記加入者試験装置インタフェース回路内部で前記加入者試験線ループ機能部は、前記加入者試験線接続スイッチ部に接続し、前記加入者試験線接続スイッチ部を介して前記加入者試験線と接続するように構成して成ることを特徴とする。
【００１５】
この構成において、加入者試験線のループ実行時に制御機能部によって加入者試験線接続スイッチ部と加入者試験線ループ機能部の両方の制御を行うことが可能となるので、加入者試験線ループ機能部の構成要素を小さくできるという効果がある。
【００１６】
前記課題を解決するために提供する請求項５記載の発明は、加入者回路と接続している加入者線と、複数の前記加入者回路を搭載している加入者回路収容装置と、前記加入者回路収容装置と接続している加入者試験線と、複数の前記加入者試験線と加入者線試験装置との間に設置された加入者試験装置インタフェース回路と、システムの制御を行う制御機能部と、から構成される加入者試験システムによる加入者回路特定方法であって、前記加入者試験装置インタフェース回路は、
前記加入者試験線と前記加入者線試験装置とを接続させる加入者試験線接続スイッチ部と、前記加入者試験線を短絡させる加入者試験線ループ機能部とを備え、
前記加入者回路収容装置は、前記加入者回路の状態を監視する加入者回路監視手段を備え、前記加入者線の線間電圧が低い場合に前記加入者試験線の短絡を実行し、前記加入者回路収容装置に搭載されている複数の前記加入者回路の監視を前記加入者回路監視手段によって行い、当該加入者回路監視手段によって複数の前記加入者回路の中で起動状態が停止した加入者回路が発見されると、当該加入者回路を故障加入者回路と判断することを特徴とする。
【００１７】
加入者試験線にマルチ接続された複数の加入者回路を搭載する加入者回路収容装置において、故障した加入者回路が存在する場合に加入者試験線ループ機能部により加入者試験線のループを行う。
加入者試験線ループ実行時に加入者線の線間電圧が低い場合は、加入者回路収容装置内の複数の加入者回路の監視を行い、複数の加入者回路の中で起動状態が停止した加入者回路を故障加入者回路と判断する。
従って、加入者試験線ループ機能部よって加入者試験線をループすることで故障した加入者回路の特定をすることが可能となる。
【００１８】
前記課題を解決するために提供する請求項６記載の発明は、前記加入者線の線間電圧が高い場合に前記加入者試験の短絡を実行し、前記加入者回路収容装置に搭載されている複数の前記加入者回路の監視を前記加入者回路監視手段によって行い、当該加入者回路監視手段によって複数の前記加入者回路の中に直流ループ電流がＯＮ状態である加入者回路の検索を行い、直流ループ電流がＯＮ状態である加入者回路が存在する場合には、当該加入者回路を直流ループ電流がＯＮ状態である加入者回路としてメモリに保存し、次に前記加入者試験線の開放を行い、保存された直流ループ電流がＯＮ状態である前記加入者回路の中から直流ループ電流がＯＦＦ状態となった加入者回路が発見されると、当該加入者回路を故障加入者回路と判断することを特徴とする。
【００１９】
加入者試験線ループ実行時に加入者線の線間電圧が高い場合は、まず、加入者回路収容装置に搭載されている複数の加入者回路の監視を行い、複数の加入者回路内に直流ループ電流ＯＮ状態の加入者回路が存在する場合は、その加入者回路を加入者回路データとして保存する。
次に加入者試験線をループ状態から開放状態にし、その際に加入者回路データに保存された加入者回路内に直流ループ電流ＯＦＦとなった加入者回路が存在する場合には、その加入者回路を故障加入者回路と判断する。
従って、加入者試験線ループ機能部よって加入者試験線をループすることで故障した加入者回路の特定をすることが可能となる。
【００２０】
【発明の実施の形態】
以下に、本発明に係る加入者試験線ループ機能付き加入者装置インタフェース回路の一実施の形態について図面を参照して説明する。
図１は本発明一実施の形態における加入者試験線ループ機能付き加入者装置インタフェース回路を備えたシステム全体の構成を示す構成図である。
図１より複数の加入者線（１０ａ〜１０ｆ）と複数の加入者回路収容装置（１３ａ〜１３ｃ）と複数の加入者試験線（１４ａ〜１４ｃ）と制御機能部１５と加入者試験装置インタフェース回路１６と加入者試験装置１９とから構成されている。
【００２１】
加入者試験装置インタフェース回路１６は加入者試験線接続スイッチ部１７と加入者試験線ループ機能部１８を有している。
加入者試験線ループ機能部１８は加入者試験線（１４ａ〜１４ｃ）をループさせる機能を有する。どの加入者試験線（１４ａ〜１４ｃ）をループするかは加入者インタフェース回路１６に制御機能部１５から送信される制御信号によって制御が行われる構成になっている。
加入者試験線接続スイッチ部１７は、制御機能部１５からの制御により加入者回路収容装置（１１ａ〜１１ｃ）の加入者線（１０ａ〜１０ｆ）と加入者試験線（１４ａ〜１４ｃ）とを接続させる役割を備えている。図４に示すように、加入者試験実行時には加入者回路（２２ａ〜２２ｃ）において加入者線（１０ａ〜１０ｆ）と加入者試験線（１４ａ〜１４ｃ）が接続される。
【００２２】
ここで、加入者試験線（１４ａ〜１４ｃ）をループさせるとは、加入者試験線（１４ａ〜１４ｃ）をショートさせるということである。
また、加入者試験（１４ａ〜１４ｃ）とは加入者（１０ａ〜１０ｆ）側と接続されている加入者線（１０ａ〜１０ｆ）の品質及び性能等を試験するものであり、その試験に関する測定は加入者試験装置１９によって行われる。
【００２３】
次に、図２から加入者回路収容装置２１は複数の加入者回路（２２ａ〜２２ｃ）と加入者インタフェース部２５とで構成されている。
加入者回路収容装置２１に収容された加入者回路（２２ａ〜２２ｃ）は加入者インタフェース部２５により上位交換機とのインタフェースをとっている。また、加入者回路収容装置２１の内部において加入者試験線２４は全加入者回路（２２ａ〜２２ｃ）とマルチ接続された構成となっている。
【００２４】
次に図６を参照して本発明に係る一実施の形態の詳細な説明を行う。
図６は本発明に係る一実施の形態である加入者試験線ループ機能付き加入者装置インタフェース回路の動作を示すフローチャート図である。
加入者試験を実施し（Ｓ０）、加入者線の線間電圧の結果により条件判断を行う。
ここで、加入者線の線間電圧が約３０Ｖのとき（Ｓ１で３０Ｖと判断された場合）被疑（故障）加入者回路の起動状態は起動中と判断し、線間電圧が約６０Ｖのとき（Ｓ１で６０Ｖと判断された場合）は被疑加入者回路の起動状態は待機中と判断できる。
【００２５】
まず、線間電圧が３０Ｖの場合（Ｓ１で３０Ｖと判断された場合）に加入者試験線ループを実行し（Ｓ２）、被疑加入者回路が搭載されている加入者回路収容装置の加入者回路起動状態の監視を行う（Ｓ３）。
ここで、加入者回路の起動状態が停止したら加入者回路は被疑（故障）と判断する（Ｓ４）。
その後、加入者試験線オープンにし（Ｓ６）、被疑加入者回路の検出を終了する（Ｓ６）。
【００２６】
次に、線間電圧が６０Ｖの場合（Ｓ１で６０Ｖと判断された場合）に加入者試験線ループを実行し（Ｓ７）、被疑加入者回路が搭載されている加入者回路収容装置の加入者回路ステータス情報の監視を行う（Ｓ８）。ここで、直流ループ電流がＯＮ状態である加入者回路をチェックし（Ｓ９）、そのデータを保持する。加入者試験線をオープンにし（Ｓ１０）、先にチェックした加入者回路の中で直流ループ電流がＯＦＦ状態となった加入者回路を被疑と判断する（Ｓ１１）。被疑加入者回路が一つであるかの判断を行い（Ｓ１２）、被疑回路が一つでないと判断されると（Ｓ１２でＮＯと判断された場合）Ｓ７に戻りＳ１２までの動作を繰り返し行う。被疑加入者回路が一つであると判断されると（Ｓ１２でＹＥＳと判断された場合）その加入者回路が被疑であると判断され、被疑加入者回路検出は終了する（Ｓ６）。
以上のように図７に示したフローチャート図をソフトで制御を行うことで、被疑加入者回路の特定の自動化が可能となる。
【００２７】
次に本発明に係る第２の実施の形態について図６を参照して説明を行う。
図６は本発明に係る加入者試験ループ機能付き加入者試験装置インタフェース回路を備えたシステム全体の構成図である。
前述した一実施の形態では、図１より加入者試験接続スイッチ部１７に接続された加入者試験線（１４ａ〜１４ｃ）を加入者試験ループ機能部１８に引き込み、その内部にて特定の加入者試験線（１４ａ〜１４ｃ）をループさせる構成となっている。
本発明に係る第２の実施の形態では、図４から加入者試験接続スイッチ部１７の後に加入者試験ループ機能部１８を設けている。
この構成においては加入者試験線（１４ａから１４ｃ）のループ制御を実行時に加入者試験接続スイッチ部１７と加入者試験線ループ機能部１８の両方を制御することで加入者試験線ループ機能部１８の構成要素を縮小することが可能である。
【００２８】
加入者試験ループ機能部１８の実際の構成としては、例えばリレーを用いて２本の線を接続するＯＮ／ＯＦＦをすることで実現可能である。
【００２９】
図１及び図６において、加入者線と加入者回路と加入者インタフェース部を備えた加入者回路収容装置と加入者回路収容装置と加入者回路収容装置及び加入者試験装置インタフェース回路に接続されている加入者線とを限定して説明を行った。
しかし、実際には複数存在するものである。
従って、加入者回路収容装置は複数の加入者線と接続している複数の加入者回路及び複数の加入者回路と接続している加入者線インタフェース部を収容している。
また、加入者回路収容装置に接続されている加入者試験線は、加入者試験装置インタフェース回路に接続されている。
よって、複数の加入者回路収容装置のそれぞれに対応した複数の加入者試験線が加入者試験装置インタフェース部に接続している。
【００３０】
【発明の効果】
以上説明したように、本発明に係る加入者試験線ループ機能付き加入者試験装置インタフェース回路は加入者試験装置インタフェース回路に加入者試験ループ機能を設けているので、加入者試験線のループ手順を自動で行うことができ、これにより被疑加入者回路の特定の自動化が可能となった。
【００３１】
また、加入者試験線のループを自動で行うことが出来るので、手動により加入者試験ループさせる手順及び治具等が不要になる。
【００３２】
【図面の簡単な説明】
【図１】本発明一実施の形態における加入者試験線ループ機能付き加入者装置インタフェース回路を備えたシステム全体の構成図である。
【図２】本発明に係る加入者回路収容装置の構成図である
【図３】本発明に係る加入者回路内の加入者線と加入者試験線との加入者回路正常起動時における接続状態を示す構成図である。
【図４】本発明に係る加入者回路内の加入者線と加入者試験線との加入者試験実行時における接続状態を示す構成図である。
【図５】本発明に係る加入者回路内の加入者線と加入者試験線との故障発生時における接続状態を示す構成図である。
【図６】本発明に係る第２の実施の形態における加入者試験線ループ機能付き加入者装置インタフェース回路を備えたシステム全体の構成図である。
【図７】本発明に係る一実施の形態である加入者県線ループ機能付き加入者装置インタフェース回路の動作を示すフローチャート図である。
【符号の説明】
１０ａ〜１０ｆ．加入者線
１１ａ〜１１ｃ．加入者回路収容装置
１２ａ〜１２ｆ．加入者回路
１３ａ〜１３ｃ．加入者インタフェース部
１４ａ〜１４ｃ．加入者試験線
１５．制御機能部
１６．加入者試験線インタフェース回路
１７．加入者試験線接続スイッチ部
１８．加入者試験線ループ機能部
１９．加入者試験装置
２０ａ〜２０ｃ．加入者線
２１．加入者回路収容装置
２２ａ〜２２ｃ．加入者回路
２３ａ〜２３ｃ．終端回路部
２４．加入者試験線
２５．加入者インタフェース部
２６．コネクタ
２７．加入者線
２８．加入者回路
２９．終端回路部
３０．加入者試験線
３１．加入者試験装置
３２．加入者線と加入者試験線の接続スイッチ
【図１】
0003626671.tif 000002
【図２】
0003626671.tif 000003
【図３】
0003626671.tif 000004
【図４】
0003626671.tif 000005
【図５】
0003626671.tif 000006
【図６】
0003626671.tif 000007
【図７】
0003626671.tif 000008